(57)【要約】【課題】側方への光学接着材の漏出防止と額縁領域の狭幅化とが両立した表示装置を実現する。【解決手段】映像が表示される表示領域１１とこれを囲む額縁領域１２を備える表示装置１にて、映像表示に用いられる発光部２１とその外側の部分かつ額縁領域１２に位置する非発光部２２とを有する表示パネル２が、リアケース３に一部が湾曲した形状で保持され、表示パネル２のうち湾曲部分である第１湾曲部２３と、これを覆うカバーパネル５のうち湾曲部分である第２湾曲部５１とが当接し、表示パネル２とカバーパネル５との隙間には光学接着材４が充填されている。また、第１湾曲部２３は、非発光部２２のうち一部を含み、非発光部２２の端部に向かって湾曲している。これにより、非発光部２２の見かけ上の平面サイズが小さくなり、額縁領域１２が狭幅化されつつ、表示パネル２とカバーパネル５とが側方で当接することで光学接着材４の漏出が抑止される。【選択図】図１
2020095146.tif 000002
【特許請求の範囲】
【請求項１】
映像が表示される表示領域（１１）と前記表示領域を囲む枠体状の額縁領域（１２）とを備える表示装置（１）であって、
前記映像の表示のために用いられる発光部（２１）と、前記発光部よりも外側の領域であって、前記額縁領域に位置する非発光部（２２）とを有し、可撓性のある表示パネル（２）と、
前記表示パネルの少なくとも一部が湾曲された状態で、前記表示パネルが保持されるリアケース（３）と、
前記リアケースに取り付けられ、前記表示パネルを覆うと共に、少なくとも一部が湾曲形状とされたカバーパネル（５）と、
前記表示パネルと前記カバーパネルとの隙間に配置される光学接着材（４）と、を備え、
前記表示パネルは、前記非発光部を含む一部の領域が、前記非発光部の端部に向かって湾曲した第１湾曲部（２３）とされており、
前記カバーパネルのうち湾曲した部分を第２湾曲部（５１）として、前記第２湾曲部は、前記第１湾曲部と異なる曲率で湾曲すると共に、前記第１湾曲部のうち前記非発光部の端部と当接している、表示装置。
【請求項２】
前記表示パネルは、一端側の部分とその反対の他端側の部分との両端が前記第１湾曲部とされ、
前記カバーパネルは、一端側の部分とその反対の他端側の部分との両端が前記第２湾曲部とされている、請求項１に記載の表示装置。
【請求項３】
前記カバーパネルのうち前記光学接着材側の面を一面（５ａ）とし、前記一面の反対側の面を他面（５ｂ）として、
前記カバーパネルは、前記他面が凸面状に湾曲しており、
前記表示パネルは、前記カバーパネルと向き合う面が凸面状に湾曲している、請求項１または２に記載の表示装置。
【請求項４】
前記カバーパネルのうち前記光学接着材側の面を一面（５ａ）とし、前記一面の反対側の面を他面（５ｂ）として、
前記カバーパネルは、前記一面が凸面状に湾曲しており、
前記表示パネルは、前記カバーパネルと向き合う面の反対面が凸面状に湾曲している、請求項１または２に記載の表示装置。
【請求項５】
前記カバーパネルのうち前記光学接着材側の面を一面（５ａ）として、前記カバーパネルは、端部のうち前記第２湾曲部と異なる部分に前記一面に対する法線方向に沿って延設された壁部（５３）が形成されている、請求項１ないし４のいずれか１つに記載の表示装置。
【請求項６】
前記第１湾曲部の曲率半径は、前記第２湾曲部の曲率半径よりも大きい、請求項１ないし５のいずれか１つに記載の表示装置。
【発明の詳細な説明】
【技術分野】
【０００１】
本発明は、可撓性のある表示パネルとカバーパネルとを備える表示装置に関する。
【背景技術】
【０００２】
従来、平板状の表示パネル、光学接着材および平板状のカバーパネルがこの順に積層され、表示パネルで生じた光が、光学接着材およびカバーパネルを透過して映像が表示される構成とされた表示装置が知られている。この種の表示装置では、表示パネルとカバーパネルとの隙間に配置される光学接着材が側方にはみ出すと、表示パネルを駆動するための駆動回路などに付着し、動作不良の原因となり得るため、光学接着材の側方へのはみ出しを抑制する必要がある。
【０００３】
光学接着材の側方へのはみ出しを抑制する構造とされた表示装置としては、例えば、特許文献１に記載の発明が提案されている。この表示装置は、平板状の表示パネルと、使用者が映像を視認する側の面が凸となるように湾曲した湾曲型カバーパネルと、が側方で当接する配置とされ、この隙間に光学接着材が充填された構成とされている。
【０００４】
これにより、平板状の表示パネルと湾曲型カバーパネルとが側方で当接し、光学接着材がこれらの部材が当接する部分から外側へ漏れ出すことが抑制され、光学接着材の側方への漏出に起因する動作不良が抑制される表示装置となる。
【先行技術文献】
【特許文献】
【０００５】
【特許文献１】特開２０１８−９１７６１号公報
【発明の概要】
【発明が解決しようとする課題】
【０００６】
ところで、近年、この種の表示装置のうち映像が表示される領域を「表示領域」とし、その外側の領域であって、表示領域を囲む枠体状の領域を「額縁領域」として、意匠性の観点から、額縁領域の狭幅化のニーズがある。
【０００７】
特許文献１に記載の表示装置は、平板状の表示パネルのうち映像の表示のために発光する部分を発光部として、その外側の部分である非発光部が額縁領域の一部を構成するため、上記した表示パネルとカバーパネルとの配置関係上、額縁領域の狭幅化に限界がある。
【０００８】
本発明は、上記の点に鑑みてなされたものであり、光学接着材の漏出による不具合を抑制しつつも、額縁領域が狭幅化された表示装置を提供することを目的とする。
【課題を解決するための手段】
【０００９】
上記目的を達成するため、請求項１に記載の表示装置は映像が表示される表示領域（１１）と表示領域を囲む枠体状の額縁領域（１２）とを備える表示装置（１）であって、映像の表示のために用いられる発光部（２１）と、発光部よりも外側の領域であって、額縁領域に位置する非発光部（２２）とを有し、可撓性のある表示パネル（２）と、表示パネルの少なくとも一部が湾曲された状態で、表示パネルが保持されるリアケース（３）と、リアケースに取り付けられ、表示パネルを覆うと共に、少なくとも一部が湾曲形状とされたカバーパネル（５）と、表示パネルとカバーパネルとの隙間に配置される光学接着材（４）と、を備える。このような構成において、表示パネルは、非発光部を含む一部の領域が、非発光部の端部に向かって湾曲した第１湾曲部（２３）とされており、カバーパネルのうち湾曲した部分を第２湾曲部（５１）として、第２湾曲部は、第１湾曲部と異なる曲率で湾曲すると共に、第１湾曲部のうち非発光部の端部と当接している。
【００１０】
これによれば、表示パネルのうち額縁領域に位置する非発光部が発光部と異なる方向に向かって湾曲することで、正面視にて、非発光部の見かけ上の平面サイズが小さくなり、従来よりも額縁領域が狭幅化された表示装置となる。また、表示パネルおよびカバーパネルがそれぞれ少なくとも一部が湾曲した形状とされ、これらが当接する構成とされることで、表示パネルとカバーパネルとの隙間に配置される光学接着材の側方への漏出が抑止される表示装置となる。そのため、光学接着材の漏出の抑止と額縁領域の狭幅化とが両立できる構成の表示装置となる。
【００１１】
なお、各構成要素等に付された括弧付きの参照符号は、その構成要素等と後述する実施形態に記載の具体的な構成要素等との対応関係の一例を示すものである。
【図面の簡単な説明】
【００１２】
【図１】第１実施形態の表示装置の一断面を示すものであって、図２中のI-I間の断面を示す断面図である。
【図２】第１実施形態の表示装置を示す斜視図である。
【図３】図２中のIIIの領域を拡大して示す拡大断面図である。
【図４】表示パネルの非発光部の湾曲による狭幅化を示す図である。
【図５】図１中のV-V間の断面を示す断面図である。
【図６Ａ】図１の表示装置の製造方法における第１工程を示す図である。
【図６Ｂ】図６Ａに続く第２工程を示す図である。
【図６Ｃ】図６Ｂに続く第３工程を示す図である。
【図７】第２実施形態の表示装置を示す断面図である。
【図８】第３実施形態の表示装置を示す斜視図である。
【図９】図８中のIX-IX間の断面を示す断面図である。
【図１０Ａ】図８の表示装置の製造方法における第１工程を示す図である。
【図１０Ｂ】図１０Ａに続く第２工程を示す図である。
【発明を実施するための形態】
【００１３】
以下、本発明の実施形態について図に基づいて説明する。なお、以下の各実施形態相互において、互いに同一もしくは均等である部分には、同一符号を付して説明を行う。
【００１４】
（第１実施形態）
第１実施形態の表示装置１について、図１〜図５を参照して述べる。本実施形態の表示装置１は、例えば自動車などの車両に設置される車載用途の表示装置として適用されると好適であるが、勿論、他の用途にも適用され得る。表示装置１は、例えば車載用途の場合、インストルメントパネルやセンターコンソールなどの車室内の任意の部位に取り付けられる。
【００１５】
図１では、以下の説明を簡略化して理解しやすくするため、便宜的に、紙面左右方向をＸ方向とし、紙面平面のうちＸ方向に直交する方向をＺ方向とし、ＸＺ平面に直交する方向をＹ方向としている。図２〜図５では、図１のＸ方向、Ｙ方向およびＺ方向に対応する方向を同様に矢印等で示すと共に、図１と同様に、構成を分かり易くするため、寸法や厚みを誇張したものを示している。また、図２では、視覚的に分かり易くするため、便宜的に、後述する表示領域１１と額縁領域１２との境界を破線で示している。
【００１６】
（表示装置の構成）
本実施形態の表示装置１は、例えば図１に示すように、表示パネル２と、リアケース３と、光学接着材４と、カバーパネル５とを備える。表示装置１は、表示パネル２がリアケース３に保持されつつ、表示パネル２を覆うようにカバーパネル５がリアケース３に取り付けられると共に、表示パネル２とカバーパネル５との隙間に光学接着材４が充填された構成とされている。
【００１７】
表示装置１は、表示パネル２を発光させると、その光が光学接着材４およびカバーパネル５を透過して各種の映像として表示される構成とされている。
【００１８】
以下、説明の簡便化のため、例えば図１に示すように、カバーパネル５を正面から見たとき、表示装置１のうち映像が表示される領域を「表示領域１１」と称し、映像が表示されない領域を「額縁領域１２」と称する。また、カバーパネル５を正面から見た状態、すなわち表示領域１１を正面から見た状態を単に「正面視」と称する。
【００１９】
表示装置１は、例えば図２に示すように、表示領域１１とこれを囲む枠体状の額縁領域１２とを有してなり、後述する表示パネル２がその一部が湾曲した形状とされることで、額縁領域１２が従来よりも狭幅化されている。額縁領域１２の狭幅化の詳細については、後述する。
【００２０】
表示パネル２は、例えば、可撓性のある基板と、当該基板上に形成された図示しないＯＬＥＤ（有機発光ダイオード）などの複数の発光素子（画素）およびこの駆動制御用のＴＦＴ（薄膜トランジスタ）とを有してなる。表示パネル２は、パネル全体として曲げられることが可能、すなわち可撓性のある構成とされる。
【００２１】
なお、ＯＬＥＤは、例えば、一対の電極間に、正孔注入層、正孔輸送層、発光層、電子輸送層、電子注入層などが順次積層されてなり、電圧を印加することで発光する構成とされる。ＴＦＴは、ゲート電極、ゲート絶縁層、半導体層、ソース電極およびドレイン電極を備え、ゲート電極の電圧調整により電流のオンオフを制御可能な素子であり、ＯＬＥＤの駆動制御などに用いられる。ＯＬＥＤやＴＦＴの構成や材料などについては、公知であるため、本明細書ではそれらの詳細の説明を省略するが、上記した例に限られず、任意の構成や材料が採用され得る。また、表示パネル２は、トップエミッション構造とされてもよいし、ボトムエミッション構造とされてもよい。
【００２２】
表示パネル２は、例えば図１に示すように、表示領域１１に位置する発光部２１と、額縁領域１２に位置する非発光部２２とを備える。表示パネル２は、断面視にて、非発光部２２の少なくとも一部が非発光部２１の端部に向かって湾曲した状態でリアケース３に保持されている。なお、表示パネル２は、例えば、両面テープなどの図示しない任意の方法によりリアケース３に保持される。
【００２３】
表示パネル２は、本実施形態では、例えば図１に示すように、非発光部２２のうちＸ方向における一端側とその反対の他端側の両端部分が、カバーパネル５の反対側に向かって湾曲した形状とされている。表示パネル２は、本実施形態では、Ｙ方向における両端部分のうちＸ方向での両端における湾曲部分以外の部分が、発光部２１のなす平面と同一平面上に位置する形状とされている。つまり、表示パネル２は、本実施形態では、カバーパネル５と向き合う面が凸に湾曲した形状とされている。
【００２４】
以下、説明の簡便化のため、図１に示すように、表示パネル２のうち非発光部２２の一部を含む湾曲した部分を「第１湾曲部２３」と称し、カバーパネル５のうち湾曲した部分を「第２湾曲部５１」と称する。
【００２５】
発光部２１は、図示しないＯＬＥＤおよびＴＦＴが形成された部分であり、映像を表示するために用いられ、図１に示すように表示領域１１に位置する。発光部２１は、本実施形態では、平面視にて枠体状の非発光部２２に囲まれている。
【００２６】
非発光部２２は、映像を表示するための発光が行われない領域であり、図１に示すように、断面視にて額縁領域１２に位置する。非発光部２２は、映像を表示させるための発光をしない領域であるため、発光部２１よりも大きく湾曲させられても特に支障はない。
【００２７】
なお、非発光部２２には、発光させない不図示のダミーのＯＬＥＤおよびＴＥＴが配置されていてもよいし、ダミーのＯＬＥＤおよびＴＦＴが配置されていなくてもよい。非発光部２２には、例えば、発光部２１に配置されるＯＬＥＤやＴＦＴを駆動させるための図示しない外周配線などの各種配線が配置されてもよい。
【００２８】
第１湾曲部２３は、例えば図１に示すように、非発光部２２のうち湾曲した部分と、発光部２１のうち当該湾曲した部分に隣接する部分かつ湾曲した部分と、によりなる。第１湾曲部２３は、非発光部２２の正面視における平面サイズ（図２に示す例ではＸＹ平面上でのサイズ）を小さくし、額縁領域１２を狭幅化するために設けられる。これは、非発光部２２がＺ方向に向かって湾曲した湾曲状態と表示パネル２全体がフラットな平板状態とを比較すると、表示パネル２のＸ方向における非発光部２２の見かけ上の寸法が、図４の白抜き矢印に示すように、湾曲状態のほうが小さくなるためである。
【００２９】
例えば、表示パネル２全体が平板状である場合における一端側の非発光部２２のＸ方向の寸法を５〜６ｍｍとした場合、この非発光部２２を湾曲させると、その湾曲度合いにもよるが、当該非発光部２２のＸ方向の見かけ上の寸法を２〜３ｍｍ程度にできる。この場合、図１に示すように、表示パネル２のＸ方向における両端を湾曲させると、Ｘ方向における額縁領域１２の寸法が、表示パネル２全体が平板状とされた場合に比べて、例えば４〜６ｍｍ程度狭くなる。
【００３０】
なお、上記した第１湾曲部２３による額縁領域１２の狭幅化の寸法については、あくまで一例であり、非発光部２２の平面寸法や湾曲度合いなどにより変わり、上記した例に限定されないことは言うまでもない。
【００３１】
第１湾曲部２３は、例えば図１に示すように、その側方の端部において、カバーパネル５のうち第１湾曲部２３よりも曲率半径が小さい形状で湾曲した第２湾曲部５１（厳密には後述する遮光部５２）と当接している。
【００３２】
具体的には、第１湾曲部２３が第２湾曲部５１と当接することで、表示パネル２とカバーパネル５とが側方において隙間のない状態とされている。すなわち、第１湾曲部２３は、図１に示すように、Ｘ方向における両端において第２湾曲部５１と当接し、かつ、Ｙ方向においても同様に第２湾曲部５１と当接した状態とされている。これは、光学接着材４が後述する表示装置１の製造工程において表示パネル２よりも側方の外側へ漏出することを抑止し、光学接着材４の漏出に起因する不具合を抑制するためである。この点については、後述する表示装置１の製造方法においても述べる。
【００３３】
リアケース３は、例えば、図１に示すように、少なくとも一部が湾曲した形状とされた表示パネル２が保持される部材であり、樹脂材料などの任意の材料によりなる。リアケース３は、表示パネル２が保持される面にカバーパネル５が取り付けられ、カバーパネル５のうち少なくとも第２湾曲部５１と当接している。リアケース３は、正面視にてその平面サイズが表示パネル２よりも大きく、表示パネル２のうち表示領域１１側の面を前面とし、その反対面を背面として、表示パネル２を背面側からその全域を覆う配置されている。リアケース３は、例えば図５に示すように、表示パネル２の駆動回路などを備える回路基板３１を備える。
【００３４】
なお、リアケース３は、本実施形態では、表示パネル２が保持される部分が表示パネル２の湾曲形状に合わせた表面形状とされるが、これに限られるものではなく、適宜形状が変更されてもよい。
【００３５】
回路基板３１は、表示パネル２を駆動するための図示しない駆動回路や制御ＩＣなどを備えると共に、リアケース３の任意の箇所に配置されている。回路基板３１は、例えば図５に示すように、リアケース３のうち表示パネル２と向き合う面側に形成された凹部に嵌め込まれるように配置されている。回路基板３１は、例えば、図示しないコネクト部を備え、当該コネクト部にＦＰＣなどのフレキシブル配線３２が取り付けられる。回路基板３１は、例えば、このフレキシブル配線３２が表示パネル２と図示しないＡＣＦなどで接続されることで、表示パネル２と電気的に接続される。回路基板３１は、フレキシブル配線３２のほか、図示しない外部電源と接続するための図示しない電源配線が接続されている。なお、この図示しない電源配線は、例えば、表示装置１のうちカバーパネル５側以外の任意の方向から外部に向かうように配置される。
【００３６】
光学接着材４は、図１に示すように、表示パネル２とカバーパネル５との隙間を充填する任意の光学接着剤であり、例えばＯＣＲ（Optical Clear Adhesive Resinの略）とされる。光学接着材４は、例えば、ディスペンサーなどの塗布法により表示パネル２とカバーパネル５との隙間に塗布された後に、任意の方法で硬化させられることで配置される。この詳細は、後述する製造方法にて説明する。
【００３７】
カバーパネル５は、表示パネル２の発光部２１からの光を透過する任意の透光性材料、例えばＰＣ（ポリカーボネート）、ＰＭＭＡ（ポリメチルメタクリレート）、ガラスなどによりなり、「透光性カバー」とも称され得る。カバーパネル５は、例えば図１や図２に示すように、リアケース３に取り付けられ、表示パネル２の前面の全域を覆っている。カバーパネル５は、本実施形態では、例えば図１に示すように、Ｘ方向における一端およびその反対の他端の両端が、表示パネル２の第１湾曲部２３と同じ方向に向かって湾曲した第２湾曲部５１とされている。つまり、カバーパネル５は、例えば図１に示すように、表示パネル２と向き合う面を一面５ａとし、その反対面を他面５ｂとして、他面５ｂが凸面状に湾曲した形状とされている。
【００３８】
第２湾曲部５１は、例えば図１に示すように、表示パネル２の第１湾曲部２３をＺ方向に投影した部分に位置しており、第１湾曲部２３のうち側方側の端部と当接している。第２湾曲部５１は、例えば、第１湾曲部２３よりも曲率半径が小さい形状とされている。例えば、第１湾曲部２３の曲率半径が５０以上とされている場合には、第２湾曲部５１は、その曲率半径が５０よりも小さくされる。
【００３９】
なお、第２湾曲部５１は、第１湾曲部２３と当接する程度に湾曲していればよく、上記した曲率半径に限定されず、第１湾曲部２３の曲率半径に応じて適宜その湾曲形状が変更される。
【００４０】
第２湾曲部５１は、例えば図３に示すように、正面視にて、表示パネル２の非発光部２２が見えないようにするための遮光部５２が一面５ａ上に配置されている。
【００４１】
遮光部５２は、任意の遮光性材料によりなり、正面視にて表示パネル２のうち非発光部２２が見えないようにし、意匠性を向上させるための部材である。遮光部５２は、例えば、非発光部２２の配置に合わせた形状とされ、非発光部２２が枠体状とされている場合には、これと同様に枠体状とされる。遮光部５２は、例えば、任意の印刷方法により形成され、印刷部とされる。遮光部５２は、例えば、カバーパネル５の一面５ａ上に配置されるが、非発光部２２を覆い隠すことができればよく、他面５ｂ上に配置されてもよいし、その配置については適宜変更されてもよい。遮光部５２は、例えば黒色の遮光性材料で構成されるが、遮光できればよく、他の色の遮光性材料で構成されてもよい。
【００４２】
なお、遮光部５２が一面５ａと異なる部分に配置される場合、第１湾曲部２３は、第２湾曲部５１と当接することとなる。
【００４３】
以上が、本実施形態の表示装置１の基本的な構成である。なお、図２では、表示装置１のうちＹ方向における両端でのリアケース３とカバーパネル５との隙間を開口部とした場合、この開口部が露出した例を示しているが、表示装置１は、他の任意の部材で開口部を覆った構成とされてもよい。
（表示装置の製造方法）
次に、本実施形態の表示装置１の製造方法の一例について、図６Ａ〜図６Ｃを参照して説明する。図６では、図１で示すＸ、Ｙ、Ｚ方向に対応する各方向を矢印等で示している。
【００４４】
まず、任意の製法により製造された表示パネル２とリアケース３とを用意する。そして、例えば図６Ａに示すように、表示パネル２を図示しない両面テープなどでリアケース３に取り付ける。これにより、可撓性のある表示パネル２は、例えばＸ方向の両端が第１湾曲部２３とされた状態でリアケース３に保持される。
【００４５】
続いて、例えば図６Ｂに示すように、Ｘ方向における両端が第２湾曲部５１とされ、第２湾曲部５１に図示しない遮光部５２が形成されたカバーパネル５を用意し、このカバーパネル５をリアケース３に取り付ける。表示パネル２およびカバーパネル５は、リアケース３にカバーパネル５を取り付けた際に、第２湾曲部５１と第１湾曲部２３とが当接する状態となるように、その湾曲形状が予め設計されている。これにより、図６Ｂに示すように、表示パネル２およびリアケース３とカバーパネル５との間が中空とされた中空構造体が構成される。
【００４６】
なお、カバーパネル５をリアケース３に取り付ける方法としては、任意の機械的な方法や任意の接着剤を用いることなどが挙げられる。
【００４７】
次いで、図６Ｃに示すように、カバーパネル５を取り付けたリアケース３をＹ方向が上となるように台座１０１に載せる。このとき、リアケース３とカバーパネル５とによりなるＹ方向における両端の開口部のうち一方は、台座１０１により塞がれ、他方は露出した状態となる。この台座１０１は、後述する硬化性樹脂組成物４１を硬化させた後に容易に剥離可能とするため、例えば、シリコーンラバーシートやフッ素樹脂シートなどが用いられる。
【００４８】
そして、例えばディスペンサー１００などにより、硬化後に光学接着材４となる液状の硬化性樹脂組成物４１をカバーパネル５とリアケース３との開口部から注入し、これらの隙間を充填する。このとき、上述のように、表示パネル２とカバーパネル５とが側方で当接し、側方における隙間がない状態となっているため、硬化性樹脂組成物４１が側方の外側に漏れ出すことが抑止される。つまり、光学接着材４の側方への漏出が抑制されることとなる。
【００４９】
なお、充填工程は、脱泡の観点から真空環境下で行われることが好ましいが、充填工程を大気環境下で行った後に真空環境とすることで気泡を排除してもよいし、予め硬化性樹脂組成物４１の脱泡処理を行い、その後、大気環境下で充填工程を行ってもよい。また、硬化性樹脂組成物４１は、例えば、アクリル系樹脂材料などの任意の透光性および硬化性を備える樹脂材料を有してなり、任意の有機溶媒により粘度や濃度が適宜調整される。
【００５０】
充填工程後、硬化性樹脂組成物４１を例えば紫外線照射などにより硬化させることで、光学接着材４を介して表示パネル２とカバーパネル５とが接着した状態のワークとなる。その後、台座１０１からこのワークを剥離するが、必要に応じて、Ｙ方向の両端における側面を他のカバー部材により覆ってもよい。
【００５１】
以上の工程により、本実施形態の表示装置１を製造することができる。
【００５２】
なお、図６Ｂ、図６Ｃの工程と異なる方法としては、例えば、図６Ａの工程の後に、シート状のＯＣＡを表示パネル２またはカバーパネル５に貼り付け、カバーパネル５をリアケース３に取り付けることも考えられる。ただ、この場合、遮光部５２の厚みによる一面５ａと遮光部５２との段差にＯＣＡが追従しきれずに気泡が生じ得るため、ＯＣＡよりも液状のＯＣＲを用いるほうが好ましい。
【００５３】
本実施形態によれば、表示パネル２のうち非発光部２２の少なくとも一部が発光部２１と異なる方向に向かって湾曲した形状とされることで、従来よりも額縁領域１２が狭幅化された表示装置１となる。また、表示パネル２の第１湾曲部２３とカバーパネル５の第２湾曲部５１または遮光部５２とが当接した構成とされることで、光学接着材４の表示パネル２よりも外側の側方へ漏出およびこれによる不具合が抑制された表示装置１となる。
【００５４】
言い換えると、本実施形態の表示装置１は、表示パネル２およびカバーパネル５それぞれが、その一部が異なる曲率で湾曲した形状とされ、これらが当接する構成とされることで、光学接着材４の漏出防止および額縁領域１２の狭幅化が両立できる構造となる。
【００５５】
（第２実施形態）
第２実施形態の表示装置について、図７を参照して述べる。図７では、上記第１実施形態の図１に相当する断面構成を示すと共に、図１におけるＸ、Ｙ、Ｚ方向に対応する各方向を矢印等で示している。
【００５６】
本実施形態の表示装置は、表示パネル２およびカバーパネル５の湾曲状態が上記第１実施形態と逆の状態とされると共に、リアケース３がこの湾曲状態に対応した形状に変更されている点で上記第１実施形態と相違する。本実施形態では、この相違点について主に説明する。
【００５７】
表示パネル２は、本実施形態では、例えば図７に示すように、リアケース３側の背面が凸に湾曲した形状とされ、Ｘ方向における両端が第１湾曲部２３とされている。これにより、本実施形態においても、非発光部２２のうち湾曲した部分については、正面視にて、その平面サイズが小さくなり、額縁領域１２が狭幅化される。
【００５８】
リアケース３は、本実施形態では、例えば図７に示すように、表示パネル２が上記した湾曲形状で嵌め込まれる凹部が形成されている。リアケース３は、本実施形態では、表示パネル２が保持される面が表示領域１１側の反対側に凹んだ凹面形状とされ、この凹面側にカバーパネル５が取り付けられている。
【００５９】
カバーパネル５は、本実施形態では、例えば図７に示すように、一面５ａが凸に湾曲した形状とされ、Ｘ方向における両端が第２湾曲部５１とされている。カバーパネル５は、図７に示すように、Ｘ方向両端において、第２湾曲部５１が第１湾曲部２３の端部と当接している。
【００６０】
本実施形態の表示装置は、上記第１実施形態の表示装置１と同様の製造方法により製造されることができる。本実施形態においても、表示パネル２の第１湾曲部２３とカバーパネル５の第２湾曲部５１とが当接し、これらの側方における隙間がない状態となっているため、光学接着材４の漏出が抑止される。
【００６１】
本実施形態によっても、上記第１実施形態と同様の効果が得られる表示装置となる。
【００６２】
（第３実施形態）
第３実施形態の表示装置について、図８、図９を参照して述べる。図８、図９および後述する図１０Ａ、図１０Ｂでは、図１におけるＸ、Ｙ、Ｚ方向に対応する各方向を矢印等で示している。
【００６３】
本実施形態の表示装置は、例えば図９に示すように、カバーパネル５のうち第２湾曲部５１と異なる端部に一面５ａに対する法線方向（以下「一面法線方向」という）に沿って延設された壁部５３が形成され、光学接着材４をせき止める構成とされている。また、本実施形態の表示装置は、リアケース３に表示パネル２を保持するための凹部３３が形成され、当該凹部に表示パネル２と共に壁部５３がはめ込まれる構成とされている。本実施形態の表示装置は、上記した点で上記第１実施形態と相違する。本実施形態では、この相違点について主に説明する。
【００６４】
リアケース３は、本実施形態では、例えば図８に示すように、正面視したときのＸ方向における寸法がカバーパネル５のそれと略同一とされているが、Ｙ方向における寸法についてはカバーパネル５のそれよりも大きくされている。リアケース３は、例えば図９に示すように、Ｙ方向の断面において表示パネル２を保持するための凹部３３が形成されている。この凹部３３は、Ｙ方向における寸法が表示パネル２のそれよりも大きく、表示パネル２が保持された状態において、Ｙ方向の両端にカバーパネル５の壁部５３の幅と同程度の隙間が生じるサイズとされている。つまり、リアケース３は、図９に示すように、Ｙ方向において凹部３３に表示パネル２およびカバーパネル５の壁部５３がはめ込まれた状態となっている。
【００６５】
カバーパネル５は、本実施形態では、正面視したときの端部のうち第２湾曲部５１と異なる部分に壁部５３が形成されている。この壁部５３は、後述する本実施形態の表示装置の製造工程において硬化性樹脂組成物４１をせき止め、漏出することを防ぐ役割を果たす。
【００６６】
壁部５３は、例えば図９に示すように、一面法線方向に沿って延設された形状、すなわち一面５ａに対して垂直に延設された形状とされるが、光学接着材４の漏出を防ぐことができる形状であればよく、これに限定されるものではない。つまり、壁部５３は、一面法線方向から見て、第２湾曲部５１と共に一面５ａを囲む枠体を構成し、光学接着材４がはみ出す役割を果たせばよい。別の見方をすると、カバーパネル５には、一面法線方向から見て、第２湾曲部５１および壁部５３に囲まれた窪み部５４が形成されているとも言える。
【００６７】
次に、本実施形態の表示装置の製造方法の一例について、図１０Ａ、図１０Ｂを参照して簡単に説明する。
【００６８】
まず、第２湾曲部５１および壁部５３が形成されたカバーパネル５を用意する。次に、図１０Ａに示すように、このカバーパネル５の窪み部５４に液状の硬化性樹脂組成物４１を任意の方法で注入する。注入された硬化性樹脂組成物４１は、第２湾曲部５１および壁部５３にせき止められるため、漏出することはない。
【００６９】
その一方で、表示パネル２と凹部３３を備えるリアケース３とを用意し、図示しない両面テープなどにより表示パネル２をリアケース３の凹部３３に貼り付けて保持する。このとき、凹部３３のうちＹ方向における両端には、壁部５３を嵌め込むことができる程度の隙間を設けておく。
【００７０】
続いて、図１０Ｂに示すように、硬化性樹脂組成物４１が注入されたカバーパネル５と、表示パネル２が保持されたリアケース３とを組み付ける。その後、紫外線照射などにより硬化性樹脂組成物４１を硬化させることで、図９に示す状態となる。
【００７１】
本実施形態の表示装置は、上記のような工程により製造されることができる。なお、本実施形態の表示装置は、図８に示すIX-IXと直交するＸ方向における断面構成については、図１に示した上記第１実施形態の表示装置１と同様である。
【００７２】
本実施形態によっても、上記第１実施形態と同様の効果が得られる表示装置となる。
【００７３】
（他の実施形態）
なお、上記した各実施形態に示した表示装置は、本発明の表示装置の一例を示したものであり、上記の各実施形態に限定されるものではなく、特許請求の範囲に記載した範囲内において適宜変更が可能である。
【００７４】
（１）例えば、上記各実施形態では、表示パネル２のうちＸ方向における両端側が第１湾曲部２３とされる例について説明したが、これに限定されるものではない。例えば、表示パネル２のうちＸ方向における一端側だけが第１湾曲部２３とされた場合であっても、額縁領域１２の狭幅化の効果が得られることは明らかである。この場合、カバーパネル５のうち端部であって、第１湾曲部２３と当接する第２湾曲部５１と異なる部分を上記第３実施形態で説明した壁部５３とすれば、光学接着材４の漏出防止の効果が得られる。
【００７５】
（２）上記各実施形態では、表示パネル２およびカバーパネル５が、平板状とされたと仮定した場合の平面形状が長方形状とされ、かつその長手方向における両端側の部分が湾曲した形状とされた例について説明したが、これに限定されるものではない。例えば、表示パネル２およびカバーパネル５は、正面視にて、短手方向における一端側または両端側の部分が湾曲した形成とされてもよい。また、表示パネル２およびカバーパネル５は、平板状とされたと仮定した場合の平面形状が正方形状とされてもよいし、他の形状とされてもよい。
【００７６】
（３）上記各実施形態では、表示パネル２およびカバーパネル５が、平板状の部分と湾曲した部分とを備える形状とされた例について説明したが、これに限定されず、それぞれ全体が湾曲した形状とされてもよい。
【００７７】
（４）上記各実施形態において、表示パネル２と共にタッチパネルなどの他の電子媒体が配置され、表示パネル２による映像表示に利用される構成とされてもよい。
【符号の説明】
【００７８】
１    表示装置
１１  表示領域
１２  額縁領域
２    表示パネル
２１  発光部
２２  非発光部
２３  第１湾曲部
４    光学接着材
５    カバーパネル
５１  第２湾曲部
【図１】
2020095146.tif 000003
【図２】
2020095146.tif 000004
【図３】
2020095146.tif 000005
【図４】
2020095146.tif 000006
【図５】
2020095146.tif 000007
【図６Ａ】
2020095146.tif 000008
【図６Ｂ】
2020095146.tif 000009
【図６Ｃ】
2020095146.tif 000010
【図７】
2020095146.tif 000011
【図８】
2020095146.tif 000012
【図９】
2020095146.tif 000013
【図１０Ａ】
2020095146.tif 000014
【図１０Ｂ】
2020095146.tif 000015